(57)【要約】【課題】  １段目のスイッチが不要な時に、１段目のスイッチの感触を発生させないことを可能にした多段スイッチを提供することを提供すること。【解決手段】  押し釦と、第１および第２の押し子を有し、前記押し釦への操作に伴って下方向に移動する作動板と、前記作動板の動きを規制する規制部を有し、回動することで該規制部の位置を変える切り替え手段と、前記押し釦を第１の荷重で押下することにより前記第１の押し子により押下される第１のスイッチと、前記押し釦を前記第１の荷重より大きい第２の荷重で押下することにより前記第２の押し子により押下される第２のスイッチと、を有し、前記切り替え部材を回動することで、前記規制部が前記第１の押し子が前記第１のスイッチを押下する動作を規制することを特徴とする構成とした。【選択図】  図６
2020140901.tif 000002
【特許請求の範囲】
【請求項１】
押し釦と、
第１および第２の押し子を有し、前記押し釦への操作に伴って下方向に移動する作動板と、
前記作動板の動きを規制する規制部を有し、回動することで該規制部の位置を変える切り替え手段と、
前記押し釦を第１の荷重で押下することにより前記第１の押し子により押下される第１のスイッチと、
前記押し釦を前記第１の荷重より大きい第２の荷重で押下することにより前記第２の押し子により押下される第２のスイッチと、を有し、
前記切り替え部材を回動することで、前記規制部が前記第１の押し子が前記第１のスイッチを押下する動作を規制することを特徴とする多段スイッチ。
【請求項２】
前記押し釦を付勢するばねを有し、
前記押し釦は押下方向と逆に付勢されることを特徴とする請求項１に記載の多段スイッチ。
【請求項３】
前記第１および第２のスイッチは、メタルドームスイッチであること
を特徴とする請求項１又は２に記載の多段スイッチ。
【請求項４】
前記第１および第２の押し子は前記作動板の両端に設けられること
を特徴とする請求項１乃至３のいずれか１項に記載の多段スイッチ。
【請求項５】
前記規制部は、前記押し釦が押下に伴って前記第１の押し子が第１のスイッチを押下しないように前記作動板の動き又は前記第１のスイッチの位置を規制すること
を特徴とする請求項１乃至４のいずれか１項に記載の多段スイッチ。
【請求項６】
前記規制部は、前記切り替え部材の回動に伴って該規制部が前記第１の押し子がある側の前記作動板の下に入り込むことによって該作動板の動きを規制すること
を特徴とする請求項１乃至５のいずれか１項に記載の多段スイッチ。
【請求項７】
請求項１乃至６のいずれか１項に記載の多段スイッチを有する電子機器であって、
前記第１のスイッチが押下されたことに応じて第１の機能を実行し、前記第２のスイッチを押下されたことに応じて前記第１の機能とは異なる第２の機能を実行することを特徴とする電子機器。
【請求項８】
請求項１乃至６のいずれか１項に記載の多段スイッチを有する撮像装置であって、
前記切り替え部材の回動した位置に応じて、撮像装置の静止画撮影モードと動画撮影モードの切り替えが可能なことを特徴とする撮像装置。
【請求項９】
前記第１のスイッチが押下されたことに応じて第１の機能を実行し、前記第２のスイッチを押下されたことに応じて前記第１の機能とは異なる第２の機能を実行することを特徴とする請求項８に記載の撮像装置。
【請求項１０】
前記第１のスイッチが押下されたことに応じて撮影のための準備動作を行い、前記第２のスイッチを押下されたことに応じて撮影を実行することを特徴とする請求項８に記載の撮像装置。
【請求項１１】
請求項１乃至６のいずれか１項に記載の多段スイッチを有する撮像装置であって、
前記第１のスイッチが押下されたことに応じて撮影のための準備動作を行い、前記第２のスイッチを押下されたことに応じて撮影を実行することを特徴とする撮像装置。
【発明の詳細な説明】
【技術分野】
【０００１】
本発明は、多段スイッチに関し、特にカメラのシャッター、ビデオカメラの撮影スイッチ、その他各種電子機器のスイッチなどにおいて、段数の切り替えを可能とするスイッチに関するものである。
【背景技術】
【０００２】
従来の多段スイッチは、ドーム板が用いられるものが一般的に知られている。このドーム板を用いた多段スイッチは、一例として、ユーザーによってスイッチ釦が押下されることにより、ドーム板が順次押下による押圧力に応じて変形するものがある。これは、ドーム板の変形に伴い、電子機器の動作状態が順次切り替えられる多段スイッチとして機能するものであった。一般的には、撮像装置のレリーズに採用される場合、１段目は焦点合わせ、２段目はレリーズに用いられる。
【０００３】
例えば、特許文献１では、部品点数が少なく、薄型化が可能であり、明確な感触を得られる２段スイッチを提供することが開示されている。
【先行技術文献】
【特許文献】
【０００４】
【特許文献１】特許第５２２１８１９号公報
【発明の概要】
【発明が解決しようとする課題】
【０００５】
上述の特許文献に開示された２段スイッチでは１段目にＡＦ、２段目にレリーズが割り当てられている。しかしながら、従来技術では、１段目のスイッチが不要な場合でも、２段目のスイッチをＯＮ状態にするには１段目のスイッチをＯＮ状態にする必要があるため、ユーザーが１段目のスイッチの感触を煩わしいと感じてしまう場合がある。また、１段目のスイッチをＯＮにしても何も機能が実行されない場合に、１段目のスイッチの感触があるのは、ユーザに違和感を与える可能性もある。
【０００６】
そこで本発明の目的は、段階的なスイッチで複数の機能を実行可能なスイッチにおいて、１段目のスイッチが不要な時又は１段目のスイッチに対応する機能が実行されない場合には１段目のスイッチの感触を発生させないことが可能な手段を提供することである。
【課題を解決するための手段】
【０００７】
上記目的を達成するために、本発明は、押し釦と、第１および第２の押し子を有し、前記押し釦への操作に伴って下方向に移動する作動板と、前記作動板の動きを規制する規制部を有し、回動することで該規制部の位置を変える切り替え手段と、前記押し釦を第１の荷重で押下することにより前記第１の押し子により押下される第１のスイッチと、前記押し釦を前記第１の荷重より大きい第２の荷重で押下することにより前記第２の押し子により押下される第２のスイッチと、を有し、前記切り替え部材を回動することで、前記規制部が前記第１の押し子が前記第１のスイッチを押下する動作を規制することを特徴とする。
【発明の効果】
【０００８】
本発明によれば、段階的なスイッチで複数の機能を実行可能なスイッチにおいて、１段目のスイッチが不要な時又は１段目のスイッチに対応する機能が実行されない場合には、１段目のスイッチの感触を発生させないことができる。
【図面の簡単な説明】
【０００９】
【図１】撮像装置斜視図
【図２】メタルドームスイッチ分解斜視図
【図３】レリーズ釦分解斜視図
【図４】撮像装置斜視図（上カバー不図示）
【図５】図４におけるＡ−Ａ断面図
【図６】図４におけるＢ−Ｂ断面図
【図７】１段目スイッチＯＮ時の図４におけるＡ−Ａ断面図
【図８】２段目スイッチＯＮ時の図４におけるＡ−Ａ断面図
【図９】モード切り替え時の図４におけるＡ−Ａ断面図
【図１０】撮像装置斜視図（上カバー不図示）
【図１１】図１０におけるＡ−Ａ断面図
【図１２】モード切り替え時の図１０におけるＡ−Ａ断面図
【図１３】撮像装置斜視図（上カバー不図示）
【図１４】図１３におけるＡ−Ａ断面図
【図１５】モード切り替え時の図１３におけるＡ−Ａ断面図
【発明を実施するための形態】
【００１０】
以下に、本発明の好ましい実施の形態を、添付の図面に基づいて詳細に説明する。なお、本実施形態では、撮像装置のレリーズ時に用いる多段スイッチを例として説明する。以下では、本発明の多段スイッチを撮像装置のレリーズスイッチに用いる例を説明するが、本発明の多段スイッチは、撮像装置に限らず、他の電子機器にも適用可能である。また、撮像装置として説明するデジタルカメラは、スチルカメラやビデオカメラに適用することができる。
【００１１】
（第１の実施形態）
以下、図１〜９を参照して、本発明の第１の実施形態について説明する。
【００１２】
図１は、本発明の実施形態にかかわる撮像装置１００の斜視図である。撮像装置１００の外装は、前カバー１０１、後ろカバー１０２、および上カバー１０３の外装部材で構成される。上カバー１０３には、レリーズ釦１０５、モード切り替えスイッチ１０６、ファインダー１０４が配置される。レリーズ釦１０５、モード切り替えスイッチ１０６は上カバー１０３に周囲を囲まれており、通常は上カバー１０３からやや飛び出た状態となっている。ユーザーは、ファインダー１０４を覗きながらレリーズ釦１０５を押すことで撮影が可能となる。
【００１３】
図２は、メタルドームスイッチの分解斜視図であり、後述する第１のメタルドームスイッチ１１６および第２のメタルドームスイッチ１１７の構成例を示している。メタルドームスイッチは、メタルドーム１０８、スイッチケース１０９、スイッチ基板１１０を有する。スイッチケース１０９はスイッチ上カバー１０９ａ、スイッチ下カバー１０９ｂからなり、スイッチ上カバー１０９ａは中央に穴が開いている。メタルドーム１０８は、中央部分は平面形状が円形のドーム部１０８ａであり、ドーム部１０８ａは、上面（例えば頂点の近傍）を押すと弾性変形して凹み、離すと元の形状に復元し、この弾性変形時にユーザーにクリック感を与える（後述の図７参照）。また、メタルドーム１０８は導電性材料で作製される。スイッチ基板１１０は中央に電極１１０ａを有する。
【００１４】
図３はレリーズ釦１０５の分解斜視図、図４は撮像装置１００のレリーズ釦１０５近傍の斜視図である。なお、図３、図４において、上カバー１０３は不図示である。図５は図４におけるＡ―Ａ断面図、図６は図４におけるＢ―Ｂ断面図である。
【００１５】
レリーズ釦１０５は、キートップ部１０５ａ、軸部１０５ｂ、レリーズ釦押し子１０５ｄからなり、軸部１０５ｂにはＥリング取りつけ溝１０５ｃを有する。レリーズ釦１０５とモード切り替えスイッチ１０６間には、レリーズ釦付勢バネ１１１が配置され、レリーズ釦１０５は押下方向とは逆方向に付勢される。レリーズ釦１０５のＥリング取りつけ溝１０５ｃにはＥリング１１２が配置される。スイッチベース１１４には位置決めボス１１４ａが設けられている。
【００１６】
フレキシブル基板１１３は、薄いポリイミドやポリエステルなどのフィルムで出来た基材の上に、薄い銅箔の配線パターンを持ち、表面を保護のための絶縁フィルムなどで被覆された配線基板である。フレキシブル基板１１３は、スイッチベース１１４上に位置決めボス１１４ａ、位置決め穴（不図示）により位置決めされて配置される。
【００１７】
フレキシブル基板１１３には、第１のメタルドームスイッチ１１６、第２のメタルドームスイッチスイッチ１１７、プッシュスイッチ１１８が実装されると共に位置決め穴（不図示）が設けられている。第１のメタルドームスイッチ１１６、第２のメタルドームスイッチ１１７は動作荷重が異なり、第２のメタルドームスイッチ１１７＞第１のメタルドームスイッチ１１６の関係がある。
【００１８】
作動板１１５は、第１の押し子１１５ａ、第２の押し子１１５ｂ、位置決め穴１１５ｃを有し、位置決め穴１１５ｃは位置決めボス１１４ａに通されることで位置決めされる。第１、第２の押し子１１５ａ、１１５ｂは、作動板１１５の両端に、第１の押し子１１５ａは第１のメタルドームスイッチ１１６の上、第２の押し子１１５ｂは第２のメタルドームスイッチ１１７の上になるように配置される。そして、通常時にはプッシュスイッチ１１８は規制部１０６ａに接触しＯＮ状態になっている。作動板１１５は、レリーズ釦１０５の押圧動作に伴って下方向に押される。そして、作動板１１５が押されることにより、第１の押し子１１５ａが第１のメタルドームスイッチ１１６を動作させ、さらに押下して荷重が大きくなると第２の押し子１１５ｂが第２のメタルドームスイッチ１１７を動作させる。
【００１９】
図７は、モード切り替えスイッチ１０６の切り替えを行わずに、ユーザーが、１段目スイッチがＯＮ状態になるまでレリーズ釦１０５を押しこんだ時の図４におけるＡ―Ａ断面図を示す。レリーズ釦１０５が押下されることで、作動板１１５がレリーズ釦押し子１０５ｄに押され、連動して第１の押し子１１５ａがメタルドームスイッチ１１６を押し込み、メタルドーム１０８が反転し、ドーム部１０８ａが、電極１１０ａに接触する。これにより、１段目スイッチがＯＮ状態になり１段目スイッチの感触を得る。この時、動作荷重において、第２のメタルドームスイッチ１１７＞第１のメタルドームスイッチ１１６の関係より、第２のメタルドームスイッチ１１７内部のメタルドーム１０８のドーム部１０８ａは反転せず、ドーム形状を維持したままである。
【００２０】
図８は、２段目スイッチＯＮ時の図４におけるＡ−Ａ断面図である。１段目スイッチがＯＮ状態から、ユーザーによりレリーズ釦１０５が押下されることで、作動板１１５がレリーズ釦押し子１０５ｄに押される。連動して第２の押し子１１５ｂが第２のメタルドームスイッチ１１７を押し込み、メタルドーム１０８が反転し、電極１１０ａに接触する。これにより、２段目スイッチがＯＮ状態になり２段目スイッチの感触を得る。
【００２１】
図９は、モード切り替えスイッチの切り替えを行い、２段目スイッチをＯＮ状態とした時の図４におけるＡ−Ａ断面図である。モード切り替えスイッチ１０６の切り替えることで、規制部１０６ａが作動板１１５の下、第１のメタルドームスイッチ１１６側へ移動し、プッシュスイッチ１１８はＯＦＦになる。この時、プッシュスイッチ１１８に割り当てられたモードが切り替わる。この状態より、ユーザーによりレリーズ釦１０５が押下されることで、作動板１１５がレリーズ釦押し子１０５ｄに押され、規制部１０６ａに接触する。これにより、第１の押し子１１５ａが第１のメタルドームスイッチ１１６まで降下することがなくなり、１段目スイッチが押されることが規制される。次に、第２の押し子１１５ｂが第２のメタルドームスイッチ１１７を押し込み、メタルドーム１０８が反転し、ドーム部１０８ａが、電極１１０ａに接触する。これにより、２段目スイッチがＯＮ状態になり２段目スイッチの感触を得る。この一連の動作において、ユーザーは１段目スイッチの感触を感じることは無く、２段目スイッチの感触のみを得る。
【００２２】
上記構成を取ることにより、本発明の第１の実施形態によれば、１段目のスイッチが不要な時に、１段目のスイッチの感触を発生させずに、２段目のスイッチの感触を発生させることができる。
【００２３】
ユーザーが撮像装置を使用する際に上記効果を実感する例は以下である。例えば、撮像装置において、１段目にＡＦなどの撮影準備動作、２段目にレリーズ（撮影実行）が割り当てられているとする。１段目スイッチ機能をレリーズ釦から他の操作釦に割り当てた時や、１段目スイッチ機能を他の操作部材に割り当て、かつ同じ他の操作釦を押下した時等に、モード切り替えスイッチを切り替える。その結果、１段目スイッチの感触が無くなるため、ユーザーがスイッチを押す際の機能の発動とクリック感の不一致による違和感を軽減させることができる。
【００２４】
（第２の実施形態）
以下、図１０〜１２を参照して、本発明の第２の実施形態について説明する。
【００２５】
図１０は、撮像装置１００のレリーズ釦１１９近傍の斜視図である。上カバー１０３は不図示である。図１１は、図１０におけるＡ―Ａ断面図である。
【００２６】
レリーズ釦１１９は、動作部１２０を有し、モード切り替えスイッチ１２１は規制部１２１ａを有する。フレキシブル基板１２２には、プッシュスイッチ１２３、第１の感圧スイッチ１２４ａ、第２の感圧スイッチ１２４ｂ、第３の感圧スイッチ１２４ｃ、メタルドームスイッチ１２５が実装されている。通常時、第１の感圧スイッチ１２４ａ、第２の感圧スイッチ１２４ｂは規制部１２１ａに接触導通している。
【００２７】
図１１において、ユーザーにより、レリーズ釦１１９が押下されたとき、初めにプッシュスイッチ１２３が動作部１２０に押される。この時、１段目スイッチがＯＮ状態になる。この状態より、さらにレリーズ釦１１９が押下されたとき、メタルドームスイッチ１２５が押され２段目スイッチがＯＮ状態になる。
【００２８】
図１２は、モード切り替えスイッチ１２１の切り替えを行い、２段目スイッチをＯＮ状態とした時の図１０におけるＡ−Ａ断面図である。モード切り替えスイッチ１２１は、１段スイッチ、２段スイッチのモードを切り替えるためのスイッチである。モード切リ替えスイッチ１２１を切り替えることで、規制部１２１ａが移動し、第２の感圧スイッチ１２４ｂ、第３の感圧スイッチ１２４ｃに接触する。これによりモード切り替えスイッチ１２１に割り当てられたモードが切り替わる。この時、レリーズ釦１１９も連動して回動し、動作部１２０はレリーズ釦１１９が押下されたときにプッシュスイッチ１２３に接触しない位置に移動する。この状態より、ユーザーによりレリーズ釦１１９が押下されることで、メタルドームスイッチ１２５が押され２段目スイッチがＯＮ状態になる。この一連の動作において、ユーザーは１段目スイッチの感触を感じることは無く、２段目スイッチの感触のみを得る。
【００２９】
上記構成を取ることにより、本発明の第２の実施形態によれば、１段スイッチの状態から２段スイッチへの切り替えを容易に行うことが可能となる。
【００３０】
（第３の実施形態）
以下、図１３〜１５を参照して、本発明の第３の実施形態について説明する。
【００３１】
図１３は、撮像装置１００のレリーズ釦１２６近傍の斜視図である。上カバー１０３は不図示である。
【００３２】
レリーズ釦１２６は、動作部１２７を有し、モード切り替えスイッチ１２８は規制部１２８ａを有する。フレキシブル基板１２９には、フォトインタラプタ１３０、板ばねスイッチ１３１が実装されている。板ばねスイッチ１３１は、第１の板ばね１３１ａ、第２の板ばね１３１ｂ、第３の板ばね１３１ｃから構成される。第１の板ばね１３１ａと第２の板ばね１３１ｂが接触した際に、１段目スイッチがＯＮ状態になり、第２の板ばね１３１ｂと第３の板ばね１３１ｃが接触した際に、２段目スイッチがＯＮ状態になる。通常時、フォトインタラプタ１３０の不図示の発光素子と受光素子の間には規制部１２８ａが配置され、発光素子から出される光を遮る。
【００３３】
図１４は、図１３におけるＡ―Ａ断面図である。図１４において、ユーザーにより、レリーズ釦１１９が押下されたとき、動作部１２８に押され、第１の板ばね１３２ａと第２の板ばね１３２ｂが接触する。この時、１段目スイッチがＯＮ状態になる。この状態より、さらにレリーズ釦１１９が押下されたとき、第２の板ばね１３１ｂと第３の板ばね１３１ｃが接触し２段目スイッチがＯＮ状態になる。
【００３４】
図１５は、モード切り替えスイッチ１２８の切り替えを行い、２段目スイッチをＯＮ状態とした時の図１３におけるＡ−Ａ断面図である。モード切り替えスイッチ１２８を切り替えることで、規制部１２８ａが移動し、フォトインタラプタ１３０の受光素子が光を受光する。これによりモード切り替えスイッチ１２９に割り当てられたモードが切り替わる。ここでいうモードとは、１段階での制御で動作可能なモードと多段制御が必要なモードであり、例えば、撮像装置においては、動画撮影モードと静止画撮影モードがある。この時、レリーズ釦１２６も連動して回動し、動作部１２７は、レリーズ釦１２６が押下されたときに第１の板ばね１３１ａに接触しない位置に移動される。この状態より、ユーザーによりレリーズ釦１２６が押下されることで、第２の板ばね１３１ｂと第３の板ばね１３１ｃのみが接触し２段目スイッチがＯＮ状態になる。この一連の動作において、ユーザーは１段目スイッチの感触を感じることは無く、２段目スイッチの感触のみを得る。
【００３５】
上記構成を取ることにより、本発明の第３の実施形態によれば、１段スイッチの状態から２段スイッチへの切り替えが容易に行うことが可能となる。
【００３６】
以上、本発明の好ましい実施形態について説明したが、本発明はこれらの実施形態に限定されず、その要旨の技術思想の範囲内において、適宜、種々の変形及び変更が可能である。例えば、上述した実施形態で、撮像装置として説明したデジタルカメラは、スチルカメラやビデオカメラに適用することができる。その他、上述した実施形態における各構成要素の材質、形状、寸法、数、配置箇所、等は本発明を達成できるものであれば任意であり、限定されない。
【符号の説明】
【００３７】
１００  撮像装置
１０５  キートップ部
１０５ａ  キートップ部
１０５ｂ  軸部
１０５ｃ  Ｅリング取りつけ溝
１０５ｄ  レリーズボタン押し子
１０６  モード切り替えスイッチ
１０６ａ  規制部
１０７  メタルドームスイッチ
１０８  メタルドーム
１０８ａ  ドーム部
１０９  スイッチケース
１０９ａ  スイッチ上カバー
１０９ｂ  スイッチ下カバー
１１０  スイッチ基板
１１０ａ  電極
１１１  レリーズ釦付勢バネ
１１２  Ｅリング
１１３  フレキシブル基板
１１４  スイッチベース
１１４ａ  位置決めボス
１１５  作動板
１１５ａ  第１の押し子
１１５ｂ  第２の押し子
１１５ｃ  位置決め穴
１１６  第１のメタルドームスイッチ
１１７  第２のメタルドームスイッチ
１１８  プッシュスイッチ
【図１】
2020140901.tif 000003
【図２】
2020140901.tif 000004
【図３】
2020140901.tif 000005
【図４】
2020140901.tif 000006
【図５】
2020140901.tif 000007
【図６】
2020140901.tif 000008
【図７】
2020140901.tif 000009
【図８】
2020140901.tif 000010
【図９】
2020140901.tif 000011
【図１０】
2020140901.tif 000012
【図１１】
2020140901.tif 000013
【図１２】
2020140901.tif 000014
【図１３】
2020140901.tif 000015
【図１４】
2020140901.tif 000016
【図１５】
2020140901.tif 000017